(57)【要約】【課題】振動センサの検出感度を容易に向上できる遊技機を提供する。【解決手段】振動センサ６０は、筐体６１、振り子８０、フォトセンサ９０を備える。振り子８０は、筐体６１内にて鉛直方向に垂れ下がり、下端部に錘部８２、上端部に遮蔽部８３を有する。振り子８０は軸部８１を中心に揺動可能に軸支される。フォトセンサ９０は、振り子８０が揺動した際に、一対のスリット７１１間に進入する遮蔽部８３を検出する。筐体６１は、鉛直方向に対して下部側を後方側に浮かせて傾斜させた取付姿勢で、遊技盤の上センター役物１５の背面１５１側に取り付けられる。遮蔽部８３は、筐体６１の内面６１１に接触している。それ故、パチンコ機に振動が生じると、その振動は筐体６１を通じて遮蔽部８３に直接伝わる。よって、小さな振動であっても振り子８０が揺れ、遮蔽部８３は一対のスリット７１１間に進入し易くなる。【選択図】図６
2019122681.tif 000002
【特許請求の範囲】
【請求項１】
振動を検出する振動センサを備えた遊技機であって、
前記振動センサは、
前記遊技機に取り付けられる筐体と、
前記筐体内において鉛直方向に垂れ下がり、下端部に錘部、上端部に遮蔽部を有し、前記錘部と前記遮蔽部との間に設けられた被軸支部を中心に揺動可能に軸支された振り子と、
前記筐体内に設けられ、前記振り子が前記被軸支部を中心に揺動した際に、前記遮蔽部が移動する第一方向に配置された所定領域内に進入する前記遮蔽部を検出する検出部と
を備え、
前記筐体は、前記鉛直方向に対して下部側を前記第一方向とは反対側の第二方向側に浮かせて傾斜させた取付姿勢で、前記遊技機に設けられた取付部に取り付けられ、前記遮蔽部は、前記筐体の内面に接触していること
を特徴とする遊技機。
【請求項２】
前記筐体は、前記第一方向側の側面であって、前記振り子が垂れ下がる方向に平行な被取付面を有し、
前記取付部は、
上下方向に延び、前記被取付面が取り付けられる取付面と、
前記取付面に設けられ、前記取付面から離間する方向に突出し、前記被取付面の下部に当接可能な突出部と
を備えたこと
を特徴とする請求項１に記載の遊技機。
【請求項３】
前記筐体は、前記第一方向側の側面であって、前記振り子が垂れ下がる方向に平行な被取付面を有し、
前記取付部は、前記被取付面が取り付けられる取付面を有し、
前記取付面は、前記鉛直方向に対して下部側が前記取付部から離間する方向に傾斜する傾斜面を有すること
を特徴とする請求項１に記載の遊技機。
【請求項４】
前記検出部は、フォトセンサであること
を特徴とする請求項１から３の何れかに記載の遊技機。
【請求項５】
前記遊技機は、遊技盤と、当該遊技盤に設けられ、遊技球が旋回して転動可能な転動面を有し、当該転動面には複数の孔が形成され、前記転動面を転動した遊技球を前記複数の孔のうち何れか一つに落下させるクルーン部材を備えた役物装置と、前記振動センサとを備えた遊技機であって、
前記取付部は、前記役物装置の背面側に設けられていること
を特徴とする請求項１から４の何れかに記載の遊技機。
【発明の詳細な説明】
【技術分野】
【０００１】
本発明は遊技機に関する。
【背景技術】
【０００２】
従来、振動を加えて遊技球をＶ入賞させる等、不正に利益を得ようとする不正行為を防止する為に、外部から加えられた振動を検出する振動センサを遊技盤に取り付けた遊技機が提案されている（例えば、特許文献１参照）。
【先行技術文献】
【特許文献】
【０００３】
【特許文献１】特開２０１７−６４０７７号公報
【発明の概要】
【発明が解決しようとする課題】
【０００４】
しかしながら、振動センサの検出感度が低ければ、外部から加えられた振動を検出することができず、不正行為を防止できない可能性があった。
【０００５】
本発明の目的は、振動センサの検出感度を容易に向上できる遊技機を提供することである。
【課題を解決するための手段】
【０００６】
本発明に係る遊技機は、振動を検出する振動センサを備えた遊技機であって、前記振動センサは、前記遊技機に取り付けられる筐体と、前記筐体内において鉛直方向に垂れ下がり、下端部に錘部、上端部に遮蔽部を有し、前記錘部と前記遮蔽部との間に設けられた被軸支部を中心に揺動可能に軸支された振り子と、前記筐体内に設けられ、前記振り子が前記被軸支部を中心に揺動した際に、前記遮蔽部が移動する第一方向に配置された所定領域内に進入する前記遮蔽部を検出する検出部とを備え、前記筐体は、前記鉛直方向に対して下部側を前記第一方向とは反対側の第二方向側に浮かせて傾斜させた取付姿勢で、前記遊技機に設けられた取付部に取り付けられ、前記遮蔽部は、前記筐体の内面に接触していることを特徴とする。
【０００７】
本発明に係る遊技機によれば、振動センサは、振動させることによって、筐体内に垂れ下がった振り子が被軸支部を中心に揺動するようになっている。その際に、上端部に設けられた遮蔽部が第一方向に揺動し、所定領域内に進入したことを検出部が検出することによって振動を検出する。そのような構造を有する振動センサは、鉛直方向に対して筐体の下部側を第一方向とは反対側の第二方向側に浮かせて傾斜させた状態で、遊技機の取付部に取り付けられる。その状態で、筐体内においては、振り子の遮蔽部が筐体の内面に接触している。これにより、遊技機に振動が生じると、その振動が筐体を通じて遮蔽部に直接伝わるので、小さな振動であっても振り子が揺れ、遮蔽部が所定領域内に進入し易くできる。これにより、遊技機は、振動センサの検出感度を容易に向上できる。
【０００８】
前記筐体は、前記第一方向側の側面であって、前記振り子が垂れ下がる方向に平行な被取付面を有し、前記取付部は、上下方向に延び、前記被取付面が取り付けられる取付面と、前記取付面に設けられ、前記取付面から離間する方向に突出し、前記被取付面の下部に当接可能な突出部とを備えるとよい。遊技機に設けられた取付部の取付面は、被取付面の下部に当接可能な突出部を備えている。これにより、振動センサの筐体の被取付面を、取付部の取付面に取り付けるだけで、振動センサを容易に傾けることができる。
【０００９】
前記筐体は、前記第一方向側の側面であって、前記振り子が垂れ下がる方向に平行な被取付面を有し、前記取付部は、前記被取付面が取り付けられる取付面を有し、前記取付面は、前記鉛直方向に対して下部側が前記取付部から離間する方向に傾斜する傾斜面を有するとよい。遊技機に設けられた取付部は、鉛直方向に対して下部側が取付部から離間する方向に傾斜する傾斜面を有するので、振動センサの筐体の被取付面を、取付部の傾斜面に取り付けるだけで、振動センサを容易に傾けることができる。
【００１０】
前記検出部は、フォトセンサであるとよい。これにより、検出部は、所定領域内に進入する遮蔽部を精度良く検出できる。
【００１１】
前記遊技機は、遊技盤と、当該遊技盤に設けられ、遊技球が旋回して転動可能な転動面を有し、当該転動面には複数の孔が形成され、前記転動面を転動した遊技球を前記複数の孔のうち何れか一つに落下させるクルーン部材を備えた役物装置と、前記振動センサとを備えた遊技機であって、前記取付部は、前記役物装置の背面側に設けられているとよい。振動センサは、役物装置の背面側に設けられた取付部に取り付けられるので、特にクルーン部材を備える役物装置に対して振動を与える等の不正行為があった場合に、役物装置に与えられた振動を精度良く検知できる。
【図面の簡単な説明】
【００１２】
【図１】パチンコ機１の正面図である。
【図２】遊技盤２の正面図である。
【図３】遊技盤２の斜視図である。
【図４】遊技盤２における上センター役物１５付近の縦断面図である。
【図５】振動センサ６０（基本姿勢時）の縦断面図である。
【図６】図４における振動センサ６０周囲の部分拡大図である。
【図７】図６に示す振動センサ６０に振動が伝わったときの図である。
【図８】振動センサ６０の取付構造の変形例の図である。
【発明を実施するための形態】
【００１３】
以下、本発明に係る遊技機の一実施形態であるパチンコ機１について、図面を参照して説明する。以下の説明では、図１の手前側、奥側、上側、下側、左側、及び右側を、夫々、パチンコ機１の前側、後側、上側、下側、左側、及び右側とする。
【００１４】
図１，図２を参照し、パチンコ機１の機械的構成を説明する。パチンコ機１の上半分の部分には遊技盤２が設けられている。遊技盤２は略正方形であり、透明なガラス板を保持したガラス枠１３によって前面を保護されている。遊技盤２の下方部には、発射機に金属製の遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ１０が夫々設けられている。遊技盤２の背面側には機構盤８が設けられている。
【００１５】
図２，図３に示すように、遊技盤２の前面には、ガイドレール３で囲まれた略円形の遊技領域４が形成されている。発射機で発射された遊技球は、遊技領域４内を流下する。遊技領域４の上部中央には、始動口１７が設けられている。遊技領域４の略中央には、上センター役物１５が設けられ、その下方には、下センター役物１６が設けられている。上センター役物１５は、球入口４１、球通路４２、球通路４３、２つのアウト口４５、クルーンユニット５０、リング部１８，１９等を備える。球入口４１は、上センター役物１５の上部中央に設けられ、始動口１７の直下に位置する。２つのアウト口４５は、球入口４１の左右両側に設けられている。球通路４２は、球入口４１の下方に設けられている。球通路４２は、球入口４１に流入した遊技球を受け入れ、下方に位置するクルーン部材５１に案内する。
【００１６】
クルーン部材５１は、上下方向に延びる回転軸を中心に回転可能な略円柱体であり、モータの駆動で回転する。クルーン部材５１の上面には、遊技球が旋回して転動可能な転動面が形成されている。転動面には、４つの孔と、２つのチャンス孔が設けられている。球通路４２を流れた遊技球は、回転するクルーン部材５１の転動面の左側に落下する。落下した遊技球は、転動面を旋回し、６つの孔の何れかに落下する。チャンス孔に落下した遊技球は、クルーン部材５１の直下に設けられた球通路４３を流れ、上センター役物１５の下部から下方に排出される。その他の孔の何れかに落下した遊技球は、遊技盤２の背面側に設けられた排出通路（図示略）に排出される。リング部１８，１９は、上センター役物１５の中央部に設けられ、例えば透明な樹脂部材で形成されている。リング部１８，１９は、クルーン部材５１を内側に回転可能に支持する。
【００１７】
下センター役物１６は、上から順に、球入口６５、球通路６６、シーソー部材６７等を備える。球入口６５は、下センター役物１６の上部中央に設けられている。上センター役物１５の球通路４３から下方に排出された遊技球は、下センター役物１６の球入口６５に流入する。球通路６６は、球入口６５の下方に設けられている。球通路６６は、球入口６５に流入した遊技球を受け入れ、下方に位置するシーソー部材６７に案内する。シーソー部材６７は左右方向に延び、その中間点を支点にして、モータ（図示略）の動力で左右の両端部が上下動する揺動運動を繰り返す。シーソー部材６７は揺動運動によって、球通路６６を流れた遊技球を左右に振り分ける。例えば、遊技球がシーソー部材６７の右側に落下すると大当たり、左側に落下すると所定数の賞球が払い出される。
【００１８】
遊技領域４の右側には、上から順に、第一普通電動装飾体２１、第二普通電動装飾体２２、第三普通電動装飾体２３、第四普通電動装飾体２４が設けられている。第四普通電動装飾体２４の右斜め下方には、一般入賞口２６が設けられている。遊技盤２の右下部には、図柄表示部２８が設けられている。図柄表示部２８は、第一普通当たり判定、第二普通当たり判定、第三普通当たり判定、および第四普通当たり判定の結果および各判定における保留球数等を、例えばＬＥＤで表示する。遊技領域４の左側には、上から順に、４つの一般入賞口３１〜３４が設けられている。遊技盤２には、上記以外に各種の電飾ランプ、入賞口、風車、および遊技くぎ等が設けられている。
【００１９】
また、図４に示すように、遊技盤２の背面側において、上センター役物１５の背面１５１の下側には、上下方向に延びる取付面１５２が設けられている。取付面１５２には、振動センサ６０が傾斜した状態で取り付けられている。振動センサ６０は、遊技盤２から伝わる振動を検出する。振動センサ６０は、取付面１５２に対して下部側を後方に浮かせて傾斜した状態で、複数の螺子（図示略）で取付面１５２に固定している。これにより、パチンコ機１は、振動センサ６０の検出感度を向上できる。なお、振動センサ６０の検出感度が向上する仕組みについては後述する。
【００２０】
振動センサ６０は、上センター役物１５の背面１５１において、クルーン部材５１の高さ位置に相当する位置、若しくはそれに近い位置に取り付けるのがよい。これにより、例えば、遊技者がガラス枠１３を叩き、上センター役物１５を振動させることによって、クルーン部材５１の転動面において遊技球をチャンス孔に落下させる等の不正行為を行った場合に、上センター役物１５に生じる振動を、振動センサ６０で速やかに検出できる。
【００２１】
図５を参照し、振動センサ６０の構造を説明する。振動センサ６０は、筐体６１とセンサユニット６２を備える。筐体６１は樹脂製であって、上部が開口し、且つ上下方向に長い略直方体の箱状に形成されている。筐体６１の前面には、被取付面６１２が設けられている。被取付面６１２は、上センター役物１５の背面１５１に設けられた取付面１５２に対し、螺子（図示略）で取り付けられる。センサユニット６２は、筐体６１の内側に上部の開口から差し込まれ、筐体６１内に保持されている。
【００２２】
センサユニット６２は、支持部材７０、振り子８０、フォトセンサ９０等を備える。支持部材７０は樹脂製であって、下部の左右両側に左右一対の壁部７１（図５では、左側の壁部７１のみ図示）を備える。一対の壁部７１は、支持部材７０の下部の左右両側から下方に夫々突出し、側面視略矩形状に形成されている。各壁部７１の前後方向の略中間位置には、上下方向に長いスリット７１１が形成されている。スリット７１１は壁部７１を左右方向に貫通する。各壁部７１に形成された一対のスリット７１１は、互いに対向配置されている。一対の壁部７１の夫々の下部には、振り子８０に設けられた左右方向に延びる後述する軸部８１を揺動可能に軸支する為の軸支部（図示略）が夫々設けられている。
【００２３】
振り子８０は樹脂製で且つ上下方向に延びる略棒状に形成され、支持部材７０の一対の壁部７１の間において、筐体６１内を鉛直方向に垂れ下がるようにして支持される。振り子８０は、軸部８１、錘部８２、遮蔽部８３等を備える。軸部８１は、振り子８０の上端部近傍に設けられ、振り子８０の長手方向に直交する左右方向に延びる。軸部８１の左右両端部は、一対の壁部７１の各軸支部によって揺動可能に軸支される。錘部８２は、振り子８０の下端部に設けられ、振り子８０の中間部の径よりも太く形成されることによって、振り子８０の錘として機能する。それ故、振り子８０は、錘部８２を下にして鉛直方向に垂れ下がる。遮蔽部８３は側面視略扇状に形成され、振り子８０の上端部から後方に向けて斜め上方に延出する。遮蔽部８３は、静止時において、一対のスリット７１１間よりも後方に位置する。
【００２４】
フォトセンサ９０は、透過型フォトセンサである。フォトセンサ９０は、回路基板９１、発光部９２、受光部（図示略）等を備える。回路基板９１は、平面視略矩形状に形成され、支持部材７０によって振り子８０の上方にて略水平に支持される。発光部９２と受光部は、回路基板９１の下方において左右方向に離間して支持され、互いに対向配置される。発光部９２と受光部は回路基板に電気的に接続される。発光部９２から出射される光は、一対のスリット７１１を通過し、受光部によって受光される。
【００２５】
基本姿勢の振動センサ６０では、筐体６１が鉛直方向に対して平行になるように配置される。振り子８０は、筐体６１内において、錘部８２の重みによって鉛直方向に垂れ下がり、軸部８１を中心に前後方向に揺動可能に支持される。振り子８０の遮蔽部８３は、一対のスリット７１１間の後方に配置され、且つ筐体６１内の後方側の内面６１１には接触していない。このような基本姿勢の振動センサ６０に外部から振動を与え、その振動がある一定強度を超えたときに、振り子８０は軸部８１を中心に前後方向に揺動し、遮蔽部８３が一対のスリット７１１間に進入する。遮蔽部８３は、一対のスリット７１１間を通過するフォトセンサ９０の光を遮る。フォトセンサ９０は、遮蔽部８３が一対のスリット７１１間を通過したことを検出する。これにより、振動センサ６０は、外部から与えられた振動を検出できる。
【００２６】
上記のように、基本姿勢の振動センサ６０では、振り子８０は筐体６１の内面６１１に接触しておらず、常時ぶら下がった状態であるので、振動が一定強度を超えなければ、振り子８０は揺動しない。それ故、振動に対する振り子８０の揺動のし易さが、振動センサ６０による振動の検出感度に大きく影響する。本実施形態では、振動センサ６０の構造を全く変えることなく検出感度を向上させる為に、基本姿勢から所定角度傾けた取付姿勢で、上センター役物１５の取付面１５２に取り付ける。
【００２７】
図６，図７を参照し、取付面１５２への振動センサ６０の取付構造を説明する。図６に示すように、取付面１５２は、上下方向に延び、且つ後方に向けられた面である。取付面１５２には、振動センサ６０の筐体６１を螺子で固定する為の螺子穴（図示略）が設けられている。取付面１５２の下部であって、筐体６１の被取付面６１２の下部に対応する位置には、後方に突出するリブ１５３が設けられている。筐体６１は、被取付面６１２の下部をリブ１５３に当接させた状態で、取付面１５２に螺子で固定されている。これにより、筐体６１は、下部側が取付面１５２に対して後方に浮いた状態となるので、取付面１５２に対して傾斜した状態で取り付けられる。このように傾斜して取り付けられた筐体６１の内側では、振り子８０の遮蔽部８３の後端部８３１が、筐体６１内の後方側の内面６１１に当接している。
【００２８】
このような状態で、筐体６１に外部から振動を与えると、図７に示すように、その内面６１１に当接する遮蔽部８３に対して筐体６１の振動がダイレクトに伝わる。これにより、基本姿勢時では検出できなかった小さい振動であっても、遮蔽部８３はそのときの衝撃で前方に押し出され、一対のスリット７１１間に進入することによって振動を検出できる。即ち、取付姿勢時の振動センサ６０では、基本姿勢時に比べて、振り子８０は振れ易くなる。このことから、本実施形態は、振動センサ６０の内部構造を変えることなく、振動の検出感度を簡単且つ効果的に向上できる。従って、パチンコ機１は、上センター役物１５に対して外部から与えられた振動を、振動センサ６０によって精度良く検出できる。
【００２９】
以上説明において、図５に示す振動センサ６０の振り子８０の軸部８１は、本発明の「被軸支部」の一例である。互いに対向する一対のスリット７１１の間に挟まれる領域は、本発明の「所定領域」の一例である。フォトセンサ９０は本発明の「検出部」の一例である。図５において、振動センサ６０の前方向が本発明の「第一方向」の一例であり、後方向が本発明の「第二方向」の一例である。上センター役物１５の取付面１５２に設けられたリブ１５３は本発明の「突出部」の一例である。上センター役物１５は本発明の「役物装置」の一例である。
【００３０】
以上説明したように、本実施形態のパチンコ機１は、振動を検出する振動センサ６０を備える。振動センサ６０は、筐体６１、振り子８０、フォトセンサ９０を備える。筐体６１は、パチンコ機１に取り付けられる。振り子８０は、筐体６１内において鉛直方向に垂れ下がり、下端部に錘部８２、上端部に遮蔽部８３を有する。振り子８０は、錘部８２と遮蔽部８３の間に設けられた軸部８１を中心に揺動可能に軸支されている。フォトセンサ９０は、筐体６１内に設けられる。フォトセンサ９０は、振り子８０が軸部８１を中心に揺動した際に、遮蔽部８３が移動する前方向に配置された一対のスリット７１１間に進入する遮蔽部８３を検出する。そのような振動センサ６０の筐体６１は、鉛直方向に対して下部側を前方とは反対側の後方側に浮かせて傾斜させた取付姿勢で、パチンコ機１に設けられた取付面１５２に取り付けられている。この状態では、遮蔽部８３は、筐体６１の内面６１１に接触している。これにより、パチンコ機１に振動が生じると、その振動が筐体６１を通じて遮蔽部８３に直接伝わるので、小さな振動であっても振り子８０が揺れ、遮蔽部８３が一対のスリット７１１間に進入し易くできる。これにより、パチンコ機１は振動センサ６０の検出感度を簡単に向上できる。
【００３１】
筐体６１は、前側の側面であって、振り子８０が垂れ下がる方向に平行な被取付面６１２を有する。パチンコ機１に設けられる取付面１５２は上下方向に延び、被取付面６１２が取り付けられる。取付面１５２には、取付面１５２から離間する後方に突出し、被取付面６１２の下部に当接可能なリブ１５３が設けられている。これにより、振動センサ６０の筐体６１の被取付面６１２を、取付面１５２に取り付けるだけで、振動センサ６０を取付姿勢の状態に容易に傾けることができる。
【００３２】
振動センサ６０は、筐体６１内において、一対のスリット７１１間に進入する振り子８０の遮蔽部８３をフォトセンサ９０で検出するので、外部から与えられた振動を精度良く検出できる。
【００３３】
なお、本発明は、上記の実施形態に限定されるものではなく、種々の変更が可能である。上センター役物１５の背面１５１に対し、振動センサ６０を傾けた姿勢で取り付ける構造として、上記実施形態では、取付面１５２の下部に設けられたリブ１５３に対し、筐体６１の被取付面６１２の下部を当接させている。この他に、例えば、図８に示すように、上センター役物１５の背面１５１側の筐体６１を取り付ける部分に、傾斜部２５２を設けてもよい。傾斜部２５２は、鉛直方向に対して下部側が後方に傾斜する傾斜面２５３を有する。これにより、筐体６１の被取付面６１２を、傾斜部２５２の傾斜面２５３に沿わして取り付けるだけで、振動センサ６０を容易に傾けることができる。
【００３４】
また、上記実施形態のリブ１５３の代わりに、シート状の板部を配置し、該板部を一枚又は複数枚積層することで、筐体６１の傾斜角度を調節できるようにしてもよい。また、筐体６１の被取付面６１２の下部にリブを設け、当該リブを上センター役物１５の取付面１５２に当接させることで、筐体６１を傾けてもよい。
【００３５】
振動センサ６０は、一対のスリット７１１間に進入する振り子８０の遮蔽部８３を検出可能なフォトセンサ９０を備えているが、これ以外のセンサで遮蔽部８３の移動を検出してもよく、例えば、遮蔽部８３の移動をスイッチで検出するようにしてもよい。
【００３６】
筐体６１の形状は、略直方体状に限らず、振り子８０を揺動可能に支持する空間を内側に備えるものであれば、例えば、円筒状であってもよい。
【００３７】
上記実施形態では、振動センサ６０は上センター役物１５の背面１５１側に取り付けているが、パチンコ機１であれば、どこに取り付けてもよい。好ましくは、遊技者側から見えない背面側の位置がよい。さらに好ましくは、遊技者がガラス枠１３を叩いたときにその振動が伝わり易い位置にするのがよい。本実施形態では、クルーン部材５１を含む周辺を揺らす目的でガラス枠１３を叩くことを想定し、上センター役物１５の背面側に取り付けているが、例えば下センター役物１６の背面側に取り付けてもよい。
【００３８】
上記実施形態は、遊技機として、遊技機の一種であるパチンコ機１を例に挙げているが、遊技機はパチンコ機に限られず、パチコン機、パチスロ台等の各種の遊技機に適用可能である。
【００３９】
なお、請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００４０】
１    パチンコ機
２    遊技盤
１５    上センター役物
５１    クルーン部材
６０    振動センサ
６１    筐体
８０    振り子
８１    軸部
８２    錘部
８３    遮蔽部
９０    フォトセンサ
１５１    背面
１５２    取付面
１５３    リブ
２５２    傾斜部
２５３    傾斜面
６１１    内面
６１２    被取付面
【図１】
2019122681.tif 000003
【図２】
2019122681.tif 000004
【図３】
2019122681.tif 000005
【図４】
2019122681.tif 000006
【図５】
2019122681.tif 000007
【図６】
2019122681.tif 000008
【図７】
2019122681.tif 000009
【図８】
2019122681.tif 000010